(57)【要約】      （修正有）【課題】ウエスト周りのサイズを着用者の体型に適合させやすいパンツ型の使い捨ておむつを提供する。【解決手段】パンツ型の使い捨ておむつ１００は，着用者の腹部に接する前身頃１，着用者の背部に接する後身頃２，及びこれらの間に位置する股下域３を有し，前身頃１と後身頃２の幅方向の左右両側が接合されている。パンツ型の使い捨ておむつ１００は，おむつの側縁を超えて幅方向の外側に延出する一又は複数の固定用ベルト４０を備える。【選択図】図１
2018198901.tif 000002
【特許請求の範囲】
【請求項１】
着用者の腹部に接する前身頃（１），着用者の背部に接する後身頃（２），及び前記前身頃（１）と前記後身頃（２）の間に位置する股下域（３）を有し，前記前身頃（１）と前記後身頃（２）の幅方向の左右両側が接合されたパンツ型の使い捨ておむつであって，
前記使い捨ておむつの側縁を超えて幅方向の外側に延出する一又は複数の固定用ベルト（４０）を備える
使い捨ておむつ。
【請求項２】
前記固定用ベルト（４０）は，前記使い捨ておむつの側縁の一方から延出し，前記後身頃（２）を被覆して，前記側縁の他方を回り，その先端部（４１）が前記前身頃（１）にまで届く以上の長さを有する
請求項１に記載の使い捨ておむつ。
【請求項３】
前記固定用ベルト（４０）は，前記先端部（４１）に，前記使い捨ておむつの外表面に係止することのできる係止部（４２）を有する
請求項２に記載の使い捨ておむつ。
【請求項４】
前記固定用ベルト（４０）は，前記使い捨ておむつの左右の側縁のいずれか一方にのみ取り付けられている
請求項３に記載の使い捨ておむつ。
【請求項５】
前記固定用ベルト（４０）は，前記使い捨ておむつの左右の側縁の両方に取り付けられている
請求項２又は請求項３に記載の使い捨ておむつ。
【請求項６】
前記左右の固定用ベルト（４０）は，それぞれ前記使い捨ておむつの長手方向にずれた位置に設けられている
請求項５に記載の使い捨ておむつ。
【請求項７】
前記前身頃（１）と前記後身頃（２）を幅方向に伸縮させる弾性伸縮部材（１１，２１）の数がそれぞれ５本以下であるか，当該弾性伸縮部材（１１，２１）が設けられていない
請求項１から請求項５のいずれかに記載の使い捨ておむつ。
【発明の詳細な説明】
【技術分野】
【０００１】
本発明は，パンツ型の使い捨ておむつに関する。
【背景技術】
【０００２】
従来から，乳幼児用や高齢者用の使い捨てのおむつとして，パンツ型のものが知られている。パンツ型の使い捨ておむつは，前身頃と後身頃の両側部が予め接合されたタイプの使い捨ておむつである。パンツ型の使い捨ておむつとしては，吸収性本体が載置される外装体が前身頃から後身頃に掛けて一体となった一体型（特許文献１）や，外装体が前身頃及び後身頃で分離され，前身頃外装体と後身頃外装体の間に吸収性本体が架け渡すように連結された分離型（特許文献２）が知られている。
【０００３】
パンツ型の使い捨ておむつは，一般的に，前身頃と後身頃を接着して形成されたウエスト開口部の周縁に，複数の弾性伸縮部材が伸長状態で固定されている。これら弾性伸縮部材が，着用者のウエスト周りを締めこむことによってウエストギャザーやタミーギャザーを形成し，着用者の動きや排泄物の重さに伴っておむつが下方にずり落ちずないようにしている。このように，ウエスト開口部の周縁にウエストギャザーやタミーギャザーを形成しておむつのずり落ちを防止するために，ウエスト周りの弾性伸縮部材は重要な部材であるとされていた。
【先行技術文献】
【特許文献】
【０００４】
【特許文献１】特開２００９−２５４６６２号公報
【特許文献２】特開２０１０−２３３７３３号公報
【発明の概要】
【発明が解決しようとする課題】
【０００５】
ところで，従来のパンツ型使い捨ておむつは，乳幼児等の成長に合わせて適切なサイズを選択できるように，Ｓ，Ｍ，Ｌなどの規格化されたサイズに分けて製造されるのが一般的であるが，ウエスト周りのサイズを細かく選択することはできない。このため，乳幼児の体型によっては，ウエスト周りのサイズが大きくて着用時に隙間ができてしまったり，あるいはウエスト周りのサイズが小さくて弾性伸縮部材による締め付けがきついと感じる場合がある。また，ゴム製の弾性伸縮部材の肌触りや締め付けに不快感を覚える者もいる。また，大人用の使い捨ておむつを考えると，着用者の体型，特にウエスト周りのサイズはさらに多様である。一定の締付け力を持つパンツ型の使い捨ておむつでは，ウエスト周りが緩いと感じる者もいるし，きついと感じる者もいる。このため，ウエスト周りの締め付け力を体型に合わせて調整したいという要望があるが，従来のパンツ型の使い捨ておむつではこのような要望には対応できなかった。そこで，このような場合には，パンツ型使い捨ておむつの代わりに，いわゆるテープ型の使い捨ておむつを着用することもできる。テープ型の使い捨ておむつは，パンツ型のものと比べて，個人の体型に合わせてウエスト周りのサイズを調整しやすくなっており，またウエスト周りにゴム製の弾性伸縮部材が配置されていないか，その本数が少なくなっている。しかしながら，テープ型の使い捨ておむつは，他人に履かせるときには容易ではあるが，自分自身で装着する際には却って難しいという問題がある。
【０００６】
そこで，本発明は，ウエスト周りの弾性伸縮部材の数が少ないか又はウエスト周りに弾性伸縮部材を設けない場合であっても，ウエスト周りのサイズを着用者の体型に適合させやすいパンツ型の使い捨ておむつを提供することを目的とする。
【課題を解決するための手段】
【０００７】
本発明の発明者は，上記課題の解決手段について鋭意検討した結果，パンツ型の使い捨ておむつにウエスト周りのサイズを調整するための固定用ベルトを備え付けることで，ウエスト周りの弾性伸縮部材の数を減らす或いは無しにした場合でも，おむつをしっかりと固定することができるという知見を得た。そして，本発明者は，上記知見に基づけば，従来技術の課題を解決できることに想到し，本発明を完成させた。具体的に説明すると，本発明は以下の構成を有する。
【０００８】
本発明は，パンツ型の使い捨ておむつに関する。パンツ型の使い捨ておむつは，着用者の腹部に接する前身頃１，着用者の背部に接する後身頃２，及びこれらの間に位置する股下域３を有し，前身頃１と後身頃２の幅方向の左右両側が接合されている。本発明に係る使い捨ておむつは，おむつの側縁を超えて幅方向の外側に延出する一又は複数の固定用ベルト４０を備えることを特徴とする。固定用ベルト４０の基端部は，使い捨ておむつの側縁に固定されていることが好ましいが，例えば前身頃１や後身頃２の中腹部分に固定されていてもよい。また，固定用ベルト４０は，左右どちらかに１本のみ設けられていてもよいし，左右に一対（合計２本）設けられていてもよいし，３本以上設けることもできる。
【０００９】
上記構成のように，パンツ型の使い捨ておむつに固定用ベルト４０を取り付けることで，この使い捨ておむつを履いた後に，固定用ベルト４０を利用してウエスト周りのサイズを調整することができる。具体的には，固定用ベルト４０をウエストに巻き付けるようにすれば，着用者の体型に合わせて固定用ベルト４０がフィットするため，ウエスト開口部からの尿漏れなどを効果的に防止できる。
【００１０】
本発明において，固定用ベルト４０は，使い捨ておむつの左右の側縁の一方から延出し，後身頃２を被覆して，側縁の他方を回り，その先端部４１が前身頃１にまで届く以上の長さを有することが好ましい。このような長さとすることで，固定用ベルト４０をウエスト周りに沿って半周以上又は１周以上させることができるため，使い捨ておむつがずれ落ちるのを効果的に防止できる。
【００１１】
本発明において，固定用ベルト４０は，その先端部４１に，使い捨ておむつの外表面に係止することのできる係止部４２を有することが好ましい。係止部４２としては，メカニカルファスナーの雄部材などを利用できる。固定用ベルト４０の先端部４１に係止部４２を設けることで，ウエスト周りのサイズの調整が容易になる。
【００１２】
固定用ベルト４０は，使い捨ておむつの左右の側縁のいずれか一方にのみ取り付けられていてもよい。このように，固定用ベルト４０を左右の片側一方にのみ設けることで，片手でウエスト周りのサイズの調整ができるため，着脱が容易になるというメリットがある。
【００１３】
固定用ベルト４０は，使い捨ておむつの左右の側縁の両方に取り付けられていてもよい。このように，固定用ベルト４０を左右両側に少なくとも一対ずつ設けることで，バランス良くウエスト周りを締め付けることができる。また左右の固定用ベルト４０を結んで固定することもできるようになる。
【００１４】
固定用ベルト４０を左右の側縁の両方に取り付ける場合において，左右の固定用ベルト４０は，それぞれ使い捨ておむつの長手方向にずれた位置に設けられていてもよい。左右の固定用ベルト４０が，幅方向の延長線上に設けられていると，一方をウエスト周りに巻きつけたときに他方が障害になる場合があるが，両者をおむつの長手方向においてずれた位置に設ける（すなわち幅方向の延長線には設けないようにする）ことで，両方の固定用ベルト４０をウエスト周りに巻きつけ易くなる。
【００１５】
本発明において，前身頃１と後身頃２を幅方向に伸縮させる弾性伸縮部材１１，２１の数はそれぞれ５本以下であるか，又は当該弾性伸縮部材１１，２１は設けられていないことが好ましい。本発明では，固定用ベルト４０を利用してウエスト周りのサイズを調整することができるため，従来のパンツ型使い捨ておむつに設けられていた弾性伸縮部材の数を減らす或いは無くすことができる。弾性伸縮部材を無くすことができれば，弾性伸縮部材による締めつけ感や肌触りに不快感を覚えていた者でも，パンツ型の使い捨ておむつを快適に履くことができる。なお，使い捨ておむつのウエスト周りに設けられる弾性伸縮部材には，幅方向の中央部において切断もしくは非伸縮状態とされているものが存在するが，不連続な弾性伸縮部材であっても幅方向に沿って延長線上にあるものは１本として計算する。
【発明の効果】
【００１６】
本発明によれば，ウエスト周りのサイズを着用者の体型に適合させやすいパンツ型の使い捨ておむつを提供することができる。
【図面の簡単な説明】
【００１７】
【図１】図１は，本発明の第１の実施形態に係るパンツ型使い捨ておむつを示した外観斜視図である。
【図２】図２は，本発明の第１の実施形態に係るパンツ型使い捨ておむつを示した平面展開図である。
【図３】図３は，本発明の第２の実施形態に係るパンツ型使い捨ておむつを示した外観斜視図である。
【図４】図４は，本発明の第２の実施形態に係るパンツ型使い捨ておむつを示した平面展開図である。
【図５】図５は，図４に示した実施形態の変形例を示している。
【発明を実施するための形態】
【００１８】
以下，図面を用いて本発明を実施するための形態について説明する。本発明は，以下に説明する形態に限定されるものではなく，以下の形態から当業者が自明な範囲で適宜変更したものも含む。
【００１９】
また，本願明細書において，使い捨ておむつの「長さ方向」というときは，基本的に，前身頃側と後身頃側を結ぶ方向（図２における上下方向）を意味し，「幅方向」というときは，基本的に，長さ方向に直交する方向（図２における左右方向）を意味する。また，本願明細書において，「Ａ〜Ｂ」とは，「Ａ以上Ｂ以下」であることを意味する。
【００２０】
本願明細書では，吸収性本体を保持するための外装体が，前身頃と後身頃で分離したタイプのパンツ型使い捨ておむつを例に挙げて，本発明の内容を詳しく説明する。ただし，本発明の使い捨ておむつは，前身頃の外装体と後身頃の外装体が分離したタイプに限定されず，外装体が前身頃から後身頃にかけて一連に繋がったタイプにも適用することができる。
【００２１】
図１は，本発明の第１の実施形態に係る使い捨ておむつ１００の例を外観斜視図であり，使い捨ておむつ１００を前身頃１側からみた状態を示している。図２は，図１に示された使い捨ておむつ１００の平面展開図であり，使い捨ておむつ１００を，着用者の肌に接する面（肌対向面）からみた状態を示している。なお，図２においては，使い捨ておむつ１００が備える固定用ベルト４０を折り曲げた状態を示している。
【００２２】
図１及び図２に示されるように，本実施形態に係る使い捨ておむつ１００は，前身頃外装体１０と，後身頃外装体２０と，吸収性本体３０を有している。前身頃外装体１０は，装着時において着用者の腹部に接触する前身頃１を構成し，後身頃外装体２０は，装着時において着用者の背部に接触する後身頃２を構成する。前身頃外装体１０と後身頃外装体２０は，互いに分離している。前身頃外装体１０と後身頃外装体２０は，それぞれ個別に形成されたものであってもよいし，一体的に形成されたものが後に分離したものであってもよい。吸収性本体３０は，その長さ方向の一端部側が前身頃外装体１０に固定され，他端部側が後身頃外装体２０に固定される。このため，本発明では，吸収性本体３０によって，前身頃１と後身頃２の間の股下域３が構成されている。このように，吸収性本体３０は，前身頃外装体１０と後身頃外装体２０の間に架け渡された状態となっている。吸収性本体３０を，前身頃外装体１０と後身頃外装体２０に固定する手段は，公知の方法を用いることができ，例えば，ホットメルト接着剤やその他流動性のある接着剤を用いた固定方法に固定することとしてもよいし，ヒートシールのような熱溶着や超音波溶着により固定することとしてもよい。
【００２３】
また，図１に示されるように，前身頃外装体１０と後身頃外装体２０は，互いに幅方向両側縁に位置するサイドシール部４において接合されることにより，前身頃外装体１０及び後身頃外装体２０が環状に繋がる。このため，図１に示されるように，装着時に着用者の腰周りに位置する腰周り開口部５と，装着時に着用者の脚部周りに位置する脚部周り開口部６が形成される。このようにして，パンツ型の使い捨ておむつ１００が形成される。着用者は，その腹部が前身頃外装体１０に接触し，背部が後身頃外装体２０に接触するようにして，腰周り開口部５からに両脚を入れ，それぞれの脚部を脚部周り開口部６から出すことで，パンツ型の使い捨ておむつ１００を装着することができる。
【００２４】
前身頃外装体１０及び後身頃外装体２０は，着用者の腹部及び背部に接触するとともに，使い捨ておむつ１００の着用時において，前身頃外装体１０及び後身頃外装体２０の間に位置する吸収性本体３０を吊持するための部材である。前身頃外装体１０と後身頃外装体２０は，おむつの幅方向の左右両側縁部に，一対のサイドシール部４を有している。前身頃外装体１０と後身頃外装体２０は，おむつの幅方向の左右両側縁部を互いに重ね合わせた状態で，一対のサイドシール部４において接合される。この一対のサイドシール部４は，おむつの長さ方向に延びて直線的に形成される。サイドシール部４において，前身頃外装体１０と後身頃外装体２０は，例えば，熱エンボス溶着や超音波エンボス溶着のような公知の接合手段により接合される。
【００２５】
吸収性本体３０は，公知の構成を採用することができる。吸収性本体３０は，前身頃外装体１０と後身頃外装体２０の間に架け渡された状態で保持され，使い捨ておむつ１００の着用時おいて，着用者の股下部に位置し，着用者が排泄した尿などの液体を吸収保持する。吸収性本体３０は，使い捨ておむつの股下部３を中心に，前身頃１及び後身頃２にかけて配置される。図２に示されるように，吸収性本体３０は，吸収体３１と，トップシート３２と，バックシート３３とを備えていればよい。
【００２６】
吸収体３１は，尿などの液体を吸収し，吸収した液体を保持するための部材である。吸収体３１は，液透過性のトップシート３２と，液不透過性のバックシート３３の間に配置される。吸収体３１は，トップシート３２を透過した液体を吸収する機能を有し，吸収性材料により構成される。吸収体３１を構成する吸収性材料には，公知の材料を採用することができる。吸収性材料としては，例えば，フラップパルプ，高吸収性ポリマー，又は親水性シートを用いることとしても良い。また，吸収性材料には，フラップパルプ，高吸収性ポリマー，又は親水性シートのうち１種類を単独で用いてもよいし，２種類以上を併用することとしてもよい。吸収性材料は，通常，単層又は複数層のマット状に形成され，用いられる。吸収体３１の形状は，適宜，使い捨ておむつの形状や，大きさ，用途に合せて設計することができる。例えば，吸収体３１の形状は，図２に示されるように，砂時計型としてもよい。また，一般的な使い捨ておむつに使用されている，矩形型，楕円形型，又はひょうたん型とすることとしてもよい。
【００２７】
トップシート３２は，着用者の股下部の肌に直接接し，尿などの液体を吸収体３１へ透過させるための部材である。このため，トップシート３２は，柔軟性が高い液透過性材料で構成される。また，トップシート３２は，吸収体３１の肌当接面側を被覆するように配置される。トップシート３２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００２８】
バックシート３３は，トップシート３２を透過し吸収体３１に吸収された液体が，おむつの外側へ漏出することを防止するための部材である。このため，バックシート３３は，液不透過性材料によって構成される。そして，バックシート３３は，吸収体３１の底面からの液漏れを防止するため，吸収体３１を肌非当接面側から被覆する。バックシート３３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。
【００２９】
使い捨ておむつ１００は，さらに，固定用ベルト４０を備える。固定用ベルト４０は，着用者がパンツ型の使い捨ておむつ１００を履いた後に，そのおむつのウエスト周りを着用者にフィットさせるために用いられる。図１及び図２に示されるように，固定用ベルト４０は，使い捨ておむつ１００の側縁を超えて幅方向の外側に延出するように，幅方向に沿って長く延びる。図１に示した例において，固定用ベルト４０は，着用時において着用者の右手側の側縁から延出し，後身頃２を被覆して，着用者の左手側の側縁を回り，その先端部４１が前身頃１にまで届く長さ以上の長さを有している。なお，固定用ベルト４０は，着用者の左手側の側縁から延出し，着用者の右手側の側縁を回るようにしてもよい。
【００３０】
図１及び図２に示された第１の実施形態において，固定用ベルト４０は，使い捨ておむつの左右の側縁のいずれか一方にのみ取り付けられている。図示した例では，着用時において着用者の右手側の側縁にのみ取り付けられている。
【００３１】
具体的に説明すると，固定用ベルト４０は，前身頃１（前身頃外装体１０）又は後身頃２（後身頃外装体２０）に固定された基端部４３と，この基端部４３とは反対側の先端部４１とを有する帯状の部材である。固定用ベルト４０の基端部４３は，例えばホットメルト接着剤などによっておむつ本体に接着されているか，又はヒートシールや超音波シールによっておむつ本体に接合されている。固定用ベルト４０の基端部４３は，基本的にはおむつ本体から剥離することがないように強力に接合されている。また，例えば固定用ベルト４０の基端部４３は，前身頃１と後身頃２にサイドシール部４を形成する際に，前身頃１と後身頃２の間に挟み込んで，このサイドシール部４において前身頃１と後身頃２の間に接合されていてもよい。他方で，固定用ベルト４０の先端部４１には，おむつ本体の外表面に係合する係合部４２が設けられている。係合部４２の例は，メカニカルファスナーの雄部材や粘着テープであり，不織布などで構成されているおむつ本体の外表面に剥離可能に止め付けることができるようになっている。また，係合部４２は，固定用ベルト４０の外表面に係合可能なものであることが好ましい。この場合，固定用ベルト４０を着用者のウエスト周りを一周以上巻きつけたときに，係合部４２を固定用ベルト４０の外表面に止め付けることができる。
【００３２】
固定用ベルト４０は，一定の横幅Ｗ（使い捨ておむつの長手方向における長さ）と延出長さＬ（使い捨ておむつの幅方向における長さ）を持つ。固定用ベルト４０の横幅Ｂは，それが取り付けられた外装体（図２の例では後身頃外装体２０）の長手方向の長さＳに対して，２０％〜１００％，３０〜１００％，又は５０〜１００％とすることが好ましい。固定用ベルト４０の横幅Ｗは，外装体の長さＳと等しくてもよいが，それよりも短くすることもできる。固定用ベルト４０の横幅Ｗをあまり短くしすぎるとウエスト周りに適切なフィット感を与えることができなくなるため，外装体の長さＳに対して少なくとも２０％の幅を有することが好ましい。他方で，固定用ベルト４０の延出長さＬは，それが取り付けられた外装体（図２の例では後身頃外装体２０）の幅方向の長さＢに対して，１１０％〜３００％，１３０％〜２８０％，又は１５０％〜２００％とすることが好ましい。固定用ベルト４０の延出長さＬが外装体の長さＢに対して１１０％以上（特に１５０％）であれば，固定用ベルト４０の先端部４１を後身頃２側を回して前身頃１に取り付けることができる。固定用ベルト４０の延出長さＬはあまり長すぎると却って邪魔になるため，外装体の長さＢに対して最大でも３００％程度に留めることがよい。
【００３３】
固定用ベルト４０は，伸縮性を持つことが好ましい。例えば，固定用ベルト４０は，伸縮性のシート部材を一枚で構成するか，若しくは伸縮性のシート部材を複数枚積層して構成することができる。また，固定用ベルト４０は，例えば肌触りの良い不織布などで構成することとしてもよい。また，固定用ベルト４０は，複数枚の不織布を重ね合わせ，不織布同士の間に使い捨ておむつの幅方向（固定用ベルト４０の延出方向）に沿って弾性伸縮部材を固定することで，当該不織布に伸縮性を付与したものであってもよい。
【００３４】
本実施形態に係る使い捨ておむつ１００を装着する際には，まず通常どおり，着用者の両脚を腰周り開口部５から入れて，各脚部を左右の脚部周り開口部６から出すようにして，使い捨ておむつ１００を履く。その後，固定用ベルト４０を，一方の側縁から延出させて，後身頃２側を通り，反対側の側縁を回して，その先端部４１を前身頃１側にまで持ってくる。このように，固定用ベルト４０を着用者のウエスト周りに巻き付けるようにして，適切にフィットする位置で，先端部４１に設けられた係合部４２をおむつ本体の又は固定用ベルト４０の外表面に止め付ける。このようにすれば，腰周り開口部５近傍において，使い捨ておむつ１００と着用者の肌との隙間をなくし，簡単にフィットさせることができる。
【００３５】
上記のように，本発明に係る使い捨ておむつ１００は，基本的に固定用ベルト４０を利要して使い捨ておむつ１００を着用者のウエスト周りに固定する。従って，従来のパンツ型使い捨ておむつで用いられていた，ウエスト周りの弾性伸縮部材の数を減らす或いは完全に無くすこともできる。図１及び図２に示した実施形態において，前身頃外装体１０及び後身頃外装体２０には，それぞれ，複数の弾性伸縮部材１１，２１が，使い捨ておむつの幅方向に沿った伸長状態で配置される。これらの弾性伸縮部材１１，２１は，前身頃外装体１０及び後身頃外装体２０の腰周りや腹周りにギャザーを形成するための部材である。ギャザーとは，各外装体１０，２０を構成するシート部材の間に伸長状態で挟持された複数本の弾性伸縮部材１１，２１が収縮することにより，各シート部材に襞が生じて形成されたものである。ギャザーを形成することで，前身頃外装体１０及び後身頃外装体２０の柔軟性や密着性を高めることができる。
【００３６】
本発明では，このような弾性伸縮部材１１，２１の数を，前身頃外装体１０及び後身頃外装体２０のそれぞれにおいて５本以下とすることが好ましい。なお，図１に示すように，お，使い捨ておむつのウエスト周りに設けられる弾性伸縮部材には，幅方向の中央部において切断もしくは非伸縮状態とされているものが存在するが，このような不連続な弾性伸縮部材であっても幅方向に沿って延長線上にあるものは１本として計算する。図１及び図２に示した例では，弾性伸縮部材１１，２１は，前身頃外装体１０及び後身頃外装体２０のそれぞれにおいて５本ずつ設けられている。ただし，これら弾性伸縮部材１１，２１の数は，４本以下とすることもできるし，０本にすることもできる。弾性伸縮部材１１，２１は，例えば糸ゴムなどによって形成されているが，弾性伸縮部材１１，２１を完全に無くすことで，糸ゴムの肌触りや締め付けが着用者に与える不快感をなくすことができる。
【００３７】
続いて，図３及び図４を参照して，本発明に係る使い捨ておむつ１００の第２の実施形態を説明する。図３は，本発明の第２の実施形態に係る使い捨ておむつ１００の例を外観斜視図であり，図４は，図２に示された使い捨ておむつ１００の平面展開図である。図３及び図４に示されるように，本実施形態では，固定用ベルト４０が使い捨ておむつの左右の側縁の両方に取り付けられている。第１の固定用ベルト４０は，その基端部４３が着用者の右手側の側縁に固定されており，第２の固定用ベルト４０は，その基端部４３が着用者の左手側の側縁に固定されている。なお，図４に示されるように，第１及び第２の固定用ベルト４０は，使い捨ておむつの幅方向に沿った延長線上に位置している。
【００３８】
図２に示されるように，第２の実施形態においては，パンツ型の使い捨ておむつ１００を装着する際に，第１及び第２の固定用ベルト４０をそれぞれ後身頃２側に回し，この後身頃２側において交差させて，前身頃１側の外表面に係止部４２を止め付けるようにする。このようにすれば，両手を使って第１及び第２の固定用ベルト４０を引き締めることで，使い捨ておむつ１００を着用者のウエスト周りに簡単にフィットさせることができる。また，第１の固定用ベルト４０と第２の固定用ベルト４０が十分な長さを有する場合には，これら２本の固定用ベルト４０を前身頃１側において結ぶこともできる。なお，元々２本の固定用ベルト４０を結ぶことを想定している場合，各固定用ベルト４０の先端部４１に係止部４２を設ける必要はない。
【００３９】
第２の実施形態のように，固定用ベルト４０を左右の側縁の両方に取り付ける場合，固定用ベルト４０の横幅Ｗは，それが取り付けられた外装体の長手方向の長さＳに対して，５％〜５０％，１０％〜３０％，又は１５％〜２５％とすることが好ましい。各固定用ベルト４０の横幅Ｗが太すぎると，後身頃２側において２本の固定用ベルト４０を交差させることが困難になる。他方で，各固定用ベルト４０の横幅Ｗが例えば外装体の長さＳの２０〜５０％であれば，後身頃２側において交差せやすくなるとともに，適度なホールド力を得ることができる。
【００４０】
図５は，図３及び図４に示した実施形態の変形例を示している。図５の変形例は，使い捨ておむつの左右両側にそれぞれ固定用ベルト４０が設けられている点において図３等の例と共通している。他方で，図５の変形例は，第１及び第２の固定用ベルト４０が，それぞれ使い捨ておむつの長手方向にずれた位置（オフセットした位置）に設けられている。すなわち，第１及び第２の固定用ベルト４０は，使い捨ておむつの幅方向に沿った延長線上に位置していない。
【００４１】
図５に示されるように，第１及び第２の固定用ベルト４０の位置をずらすことで，これらの固定用ベルト４０をウエスト周りに巻き付ける際に，後身頃２側において交差させる必要がなくなる。つまり，第１及び第２の固定用ベルト４０を，それぞれ使い捨ておむつの幅方向と平行に巻き付けることができる。このように，第１及び第２の固定用ベルト４０をずれた位置に設けるか，或いは図３等に示したように第１及び第２の固定用ベルト４０を幅方向の延長線上に設けるかは，使い捨ておむつの用途や着用者の好みや需要に合わせて適宜変更することができる。
【００４２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。例えば，本願明細書において説明した実施形態では，固定用ベルト４０は片側に１本のみ設けられているか，又は両側に１本ずつ（合計２本）設けられていたが，片側に２本以上設けることもできるし，両側に２本ずつ以上設けることも当然に可能である。
【産業上の利用可能性】
【００４３】
本発明は，乳幼児用や高齢者用のパンツ型使い捨ておむつに関する。従って，本発明は，育児及び介護に関する産業において好適に利用し得る。
【符号の説明】
【００４４】
１…前身頃                    ２…後身頃
３…股下域                    ４…サイドシール部
５…腰周り開口部              ６…脚部周り開口部
１０…前身頃外装体            １１…弾性伸縮部材
２０…後身頃外装体            ２１…弾性伸縮部材
３０…吸収性本体              ３１…吸収体
３２…トップシート            ３３…バックシート
４０…固定用ベルト            ４１…先端部
４２…係止部                  ４３…基端部
１００…使い捨ておむつ
【図１】
2018198901.tif 000003
【図２】
2018198901.tif 000004
【図３】
2018198901.tif 000005
【図４】
2018198901.tif 000006
【図５】
2018198901.tif 000007